(57)【要約】【課題】貯留された雨水を利用するための雨水利用システムを提供する。【解決手段】雨水が流入する流入管１８が接続されるとともに、流入管１８の管頂より上方に開口して貯留された雨水を越流させて排水する越流管２３を備える雨水マス１７が設置される雨水利用システムＳである。  そして、この雨水マス１７には貯留された雨水を取水するための取水管３１が接続されるとともに、取水管３１の管頂の位置Ｌ１は流入管１８の管底Ｌ２よりも低くなるように配置されている。【選択図】図１
2010090605.tif 000002
【特許請求の範囲】
【請求項１】
雨水が流入する流入管が接続されるとともに、前記流入管の管頂より上方に開口して貯留された雨水を越流させて排水する越流管を備える雨水マスが設置される雨水利用システムであって、
前記雨水マスには貯留された雨水を取水するための取水管が接続されるとともに、前記取水管の管頂の位置は前記流入管の管底よりも低くなるように配置されることを特徴とする雨水利用システム。
【請求項２】
雨水を利用する場所付近には、前記取水管によって前記雨水マスと接続されて貯留された雨水を地表から取水できる取水マスが設けられることを特徴とする請求項１に記載の雨水利用システム。
【請求項３】
前記取水管には、前記雨水マスから前記取水マスへ向けて、貯留された雨水が流下する勾配が設けられることを特徴とする請求項２に記載の雨水利用システム。
【請求項４】
前記取水マスには、雨水内に混入している濁質を沈殿させる泥溜部が設けられることを特徴とする請求項２又は請求項３に記載の雨水利用システム。
【請求項５】
前記取水マスには、前記泥溜部の上方に網目部材によって区分された貯留部が設けられ、前記貯留部には取水手段が配置されていることを特徴とする請求項４に記載の雨水利用システム。
【請求項６】
前記取水マスには、貯留された雨水を取水する取水手段としての手動ポンプが格納されていることを特徴とする請求項２乃至請求項５のいずれか一項に記載の雨水利用システム。
【発明の詳細な説明】
【技術分野】
【０００１】
本発明は、雨水を貯留して利用する雨水利用システムに関するものである。
【背景技術】
【０００２】
近年、都市化が急激に進んだことで、舗装の面積が増加したため、雨水が地中に浸み込まずに、一気に河川に流れ込むようになっている。
【０００３】
このため、都市型の洪水が起こる反面、普段は河川の流量が少なく、水質が悪化し、地下水が枯れるなどの問題が生じている。
【０００４】
また、地下水の低下によって渇水の危険性が高まり、緑地や街路樹などの潤いが失われ、気温の上昇や地中の乾燥化などが生じて、都市の気候変化をもたらすことも明らかになってきている。
【０００５】
このような問題を解決するために、雨水を貯留させる技術や雨水を地中に浸透させる技術が開発されている。
【０００６】
例えば、特許文献１には、宅地内の末端に位置する雨水マスに、オーバーフロー部材を設けて雨水を貯留可能な住宅用雨水貯留システムが開示されている。
【０００７】
この構成によれば、雨水マスや配管内に雨水を一時的に貯留することができるため、豪雨の際にも下水施設や河川の急激な増水による洪水の発生を抑制できる。
【特許文献１】特開２００６−６３７６１号公報
【発明の開示】
【発明が解決しようとする課題】
【０００８】
しかしながら、前記した特許文献１では、貯留された雨水を下水施設へ排水する手段は提案されているものの、貯留された雨水を利用する手段は提案されていなかった。
【０００９】
そこで、本発明は、貯留された雨水を利用するための雨水利用システムを提供することを目的としている。
【課題を解決するための手段】
【００１０】
前記目的を達成するために、本発明の雨水利用システムは、雨水が流入する流入管が接続されるとともに、前記流入管の管頂より上方に開口して貯留された雨水を越流させて排水する越流管を備える雨水マスが設置される雨水利用システムであって、前記雨水マスには貯留された雨水を取水するための取水管が接続されるとともに、前記取水管の管頂の位置は前記流入管の管底よりも低くなるように配置されることを特徴とする。
【００１１】
また、雨水を利用する場所付近には、前記取水管によって前記雨水マスと接続されて貯留された雨水を地表から取水できる取水マスが設けられることが好ましい。
【００１２】
さらに、前記取水管には、前記雨水マスから前記取水マスへ向けて、貯留された雨水が流下する勾配が設けられることが好ましい。
【００１３】
そして、前記取水マスには、雨水内に混入している濁質を沈殿させる泥溜部が設けられることが好ましい。
【００１４】
また、前記取水マスには、前記泥溜部の上方に網目部材によって区分された貯留部が設けられ、前記貯留部には取水手段が配置されていることが好ましい。
【００１５】
さらに、前記取水マスには、貯留された雨水を取水する取水手段としての手動ポンプが格納されていることが好ましい。
【発明の効果】
【００１６】
このように、本発明の雨水利用システムは、雨水マスには貯留された雨水を取水するための取水管が接続されるとともに、取水管の管頂の位置は流入管の管底よりも低くなるように配置されることを特徴としている。
【００１７】
したがって、流入管より低く配置された取水管によって雨水を確実に取水できるうえに、取水管内にも雨水を貯留することができるようになる。
【００１８】
また、雨水を利用する場所付近には、取水管によって雨水マスと接続されて貯留された雨水を地表から取水できる取水マスが設けられることで、取水マスを通じて簡易な設備によって容易に雨水を利用できる。
【００１９】
さらに、取水管には、雨水マスから取水マスへ向けて、貯留された雨水が流下する勾配が設けられることで、取水管の略全長にわたって雨水を貯留できるようになる。
【００２０】
そして、取水マスには、雨水内に混入している濁質を沈殿させる泥溜部が設けられることで、濁質が除去されて清浄な状態になった雨水を利用できるようになる。
【００２１】
また、取水マスには、泥溜部の上方に網目部材によって区分された貯留部が設けられ、貯留部には取水手段が配置されていることで、濁質が除去されて清浄な状態になった雨水を取水できるようになる。
【００２２】
さらに、取水マスには、貯留された雨水を取水する取水手段としての手動ポンプが格納されていることで、人や物の移動の際に手動ポンプが障害となることがなくなる。
【発明を実施するための最良の形態】
【００２３】
以下、本発明の最良の実施の形態について図面を参照して説明する。
【００２４】
まず、図２を用いて本発明の雨水利用システムＳの全体構成を説明する。
【００２５】
本発明の雨水利用システムＳは、図２に示すように、住宅１３の宅地１４内に、雨水を受ける屋根１５と、屋根１５に降った雨水の飛散を防止しつつ雨水マス１６まで誘導する縦樋１９と、縦樋１９から雨水を受け入れる中間に位置する雨水マス１６，・・・と、雨水マス１６，・・・間を接続する配管１８，・・・と、宅地１４内においてこの配管１８，・・・の下水道本管２２に近い最も下流側（末端）に接続される雨水マス１７と、を備えている。
【００２６】
また、この末端に位置する雨水マス１７の下流側には、複数の住宅（不図示）の雨水をまとめて受け入れる大型の公共用雨水マス２１が配管２３を介して接続されている。
【００２７】
さらに、この公共用雨水マス２１のさらに下流側には、配管２４を介して大口径の下水道本管２２が接続されており、雨水を下水処理施設や河川等まで誘導している。
【００２８】
そして、宅地１４内において下流側（末端）に位置する最終の雨水マス１７には、図２，３に示すように、雨水が流入する流入管としての配管１８と、この配管１８の管頂より上方に開口することで雨水マス１７内に貯留された雨水を越流させて排水する越流管としての配管２３と、貯留された雨水を利用できるように取水するための取水管３１と、が接続されている。
【００２９】
この流入管としての配管１８は、図１に示すように、長尺の円筒状に形成されるもので、円筒容器状の雨水マス１７の本体の側面の中間位置に設けた円孔にパッキンゴムを介して挿入されて固定されている。
【００３０】
また、越流管としての配管２３は、図１に示すように、長尺の円筒状に形成されるもので、雨水マス１７の流入管としての配管１８の円周方向に対峙する反対側の側面の中間位置に設けた円孔にパッキンゴムを介して挿入されて固定されている。
【００３１】
加えて、この配管２３の雨水マス１７の内側に突出した先端には、エルボ１７４が嵌め合わされており、このエルボ１７４には貯留水位ＷＬに合わせて長さ調整可能な円筒状の越流口部１７４ａが嵌め合わされている。
【００３２】
そして、本実施の形態の雨水マス１７の取水管３１は、図１に示すように、長尺の円筒状に形成されるもので、雨水マス１７の側面において配管１８，２３に直交する平面位置に設置されており、管頂位置Ｌ１は流入管としての配管１８の管底位置Ｌ２よりも低くなるように配置されている。
【００３３】
さらに、この取水管３１には、図３に示すように、貯留された雨水が自然流下するように、配設方向（軸方向）に沿って勾配が設けられており、流下した先端側には取水マス３２が接続されている。
【００３４】
この取水マス３２は、図２，３，４に示すように、細長い円筒容器状に形成されるもので、宅地１４内において草花を栽培するためのプランタ３４の近傍の地中に立設されている。
【００３５】
また、取水マス３２には、図４に示すように、側面の中間位置に雨水マス１７から雨水を自然流下させる上記の取水管３１が接続され、この取水管３１から雨水とともに流下した夾雑物などを貯留する泥溜部３２５が網目部材３２４を介して最下部に設けられている。
【００３６】
したがって、この網目部材３２４の上部には、泥溜部３２５と区分けされて清浄な水を貯留する貯留部３２６が形成されており、後述するようにこの貯留部３２６には取水手段が配置されている。
【００３７】
さらに、取水マス３２には、取水手段としての手動ポンプ３３の直立管部３３１が挿入されており、上端に取り付けられたハンドル部３３２を上下させることで貯留された雨水をピストン構造によって吸い上げるように構成されている。
【００３８】
この手動ポンプ３３の直立管部３３１は、内径が小さく細長い取水マス３２に挿入されているため、支持するための特別な構造がなくても手動ポンプ３３を自立させている。
【００３９】
したがって、草花に水をやるような場合に、利用者はこの手動ポンプ３３のハンドル部３３２を上昇させることで雨水を吸い上げてジョウロ３５などに汲み取り、その場所からほとんど移動しないでジョウロ３５を使ってプランタ３４に散水することができるようになっている。
【００４０】
なお、この取水手段として、図５（ａ）（ｂ）に示すような格納型の手動ポンプ３３Ａや、図６（ａ）に示すような水中ポンプ３３Ｂ、図６（ｂ）に示すような浅井戸ポンプ３３Ｃなどを用いることもできる。
【００４１】
この格納型の手動ポンプ３３Ａは、図５（ａ）に示すように、本体中間部に固定された保持板３２１に固定された下部吸上管３２２と、保持板３２１に設けた係止孔に係止された上部吸上管３２３と、を備えている。
【００４２】
そして、図５（ｂ）に示すように、利用する際には、保持板３２１に係止された上部吸上管３２３を持ち上げ、下端を下部吸上管３２２の上端の挿口に挿入することで自立・固定させて使用する。
【００４３】
また、水中ポンプ３３Ｂは、防水型のポンプ自体が水中に投入されて設置されるもので、網目部材３２４の上に載置されることで、泥溜部３２５に溜まった濁質を吸い込まないようにされている。
【００４４】
同様に、浅井戸ポンプ３３Ｃは、ポンプ自体は陸上に設置されるもので、網目部材３２４の上に吸込口が配置されることで、泥溜部３２５に溜まった濁質を吸い込まないようにされている。
【００４５】
次に、本実施の形態の雨水利用システムＳの作用について説明する。
【００４６】
このように、本発明の雨水利用システムＳは、雨水マス１７には貯留された雨水を取水するための取水管３１が接続されるとともに、取水管３１の管頂位置Ｌ１は流入管としての配管１８の管底位置Ｌ２よりも低くなるように配置されることを特徴としている。
【００４７】
したがって、流入管としての配管１８の管底位置Ｌ２より低く配置された取水管によって雨水を確実に取水できるうえに、取水管３１内にも雨水を貯留することができるようになる。
【００４８】
つまり、雨水利用システムＳでは、流入管としての配管１８の内部にも雨水を貯留できるように、雨水マス１７において流入管よりも上方に越流管を開口させて貯留水位ＷＬを維持している。
【００４９】
そして、取水管３１が流入管としての配管１８よりも上に位置していると、先に配管１８内部に貯留されてしまい、取水管３１内部に貯留することができなくなり、結果として雨水を取水して利用できなくなる。
【００５０】
そこで、この流入管としての配管１８よりも下方に取水管３１を位置させることで、取水管３１内に確実に雨水を貯留させることで、雨水を確実に利用できるようになる。
【００５１】
この場合、取水管３１の管頂位置Ｌ１を、流入管としての配管１８の管底位置Ｌ２よりも低くすることで、水位が低いときにも配管１８内部に雨水を貯留せずに、取水管３１内部に効率よく雨水を貯留できるようになる。
【００５２】
また、雨水を利用する場所付近には、取水管３１によって雨水マス１７と接続されて貯留された雨水を地表から取水できる取水マス３２が設けられることで、取水マス３２を通じて簡易な設備によって容易に雨水を利用できる。
【００５３】
すなわち、取水マス３２が雨水の利用場所の近くにあれば、雨水を長い距離配水する必要がなくなるため、取水設備を後述する手動ポンプ３３のような簡易なものにすることができる。
【００５４】
さらに、このように取水マス３２を雨水の利用場所の近くに配置することで、所定の長さの取水管３１を配置することになるため、雨水に混入した夾雑物・濁質を沈殿させる部分が多く、きれいな水のみを取水することができるようになるという効果もある。
【００５５】
特に、本実施の形態のように最終の雨水マス１７に取水マス３２を接続することで、取水までの経路が長くなれば、より沈殿させる部分の長さが長くなるため、よりきれいな水を取水できる。
【００５６】
さらに、取水管３１には、雨水マス１７から取水マス３２へ向けて、貯留された雨水が流下する勾配が設けられることで、取水管３１の略全長にわたって雨水を貯留できるようになる。
【００５７】
つまり、取水管３１に、雨水マス１７側を上流にして下り勾配がついていれば、下流の取水マス３２から順に雨水が貯留されるため、雨水を利用する場所の近くに効率よく雨水を貯留できることになる。
【００５８】
加えて、この場合にはポンプなどの配水設備がなくても、自然流下によって雨水を利用場所まで配水できるようになる。
【００５９】
そして、取水マス３２には、雨水内に混入している濁質を沈殿させる泥溜部３２５が設けられることで、濁質が除去されて清浄な状態になった雨水を利用できるようになる。
【００６０】
特に、上述のように取水管３１に雨水を自然流下させるための勾配が設けられている場合には、雨水が取水管３１内を自然流下する際に、取水管３１内に沈殿した夾雑物や濁質を水の勢いで洗い流すことで、泥溜部３２５に夾雑物や濁質を貯留して除去することができる。
【００６１】
また、取水マス３２には、泥溜部３２５の上方に網目部材によって区分された貯留部３２６が設けられ、貯留部３２６には取水手段としての手動ポンプ３３が配置されていることで、濁質が除去されて清浄な状態になった雨水を取水できるようになる。
【００６２】
つまり、濁質は一般に水よりも重いため、取水マス３２内の底近くに溜まることになるが、網目部材３２４を設置せずにポンプなどで取水した場合、ポンプの吸込口は底近くに位置するため底近くの濁質を吸い込んでしまうことになる。
【００６３】
そこで、網目部材３２４を設置することで、ポンプの吸込口を濁質から離すことで底近くに溜まった濁質を吸い込まないようにしつつ、吸い込む際の水の勢いを弱めて清浄な水のみを取水できるようになる。
【００６４】
加えて、このように簡易に雨水を利用できれば、雨水の利用頻度が増加し、合流式下水道の場合の下水施設への排水量が減って、処理施設の付加が減少する。
【００６５】
さらに、取水マス３２には、貯留された雨水を取水する取水手段としての格納型の手動ポンプ３３Ａが格納されていることで、人や物の移動の際に手動ポンプ３３Ａが障害となることがなくなる。
【００６６】
このように、手動ポンプ３３Ａが格納されていることは、人が通ることが多い雨水の利用場所付近では、特に効果が大きいといえる。
【００６７】
以上、図面を参照して、本発明の最良の実施の形態を詳述してきたが、具体的な構成は、この実施の形態に限らず、本発明の要旨を逸脱しない程度の設計的変更は、本発明に含まれる。
【００６８】
例えば、前記実施の形態では、雨水マス１７に１つの取水管３１のみが接続されている場合について説明したが、これに限定されるものではなく、複数の取水管３１が接続されるものであってもよい。
【００６９】
また、前記実施の形態では、取水管３１に一定の勾配が設けられている場合について説明したが、これに限定されるものではなく、略水平に設けられるものであってもよいし、雨水マス１７からみて全体として下り勾配であれば逆勾配の部分がある構成であってもよい。
【００７０】
さらに、前記実施の形態では、雨水を利用する例として、プランタ３４に植えられた草花に水をやる場合について説明したが、これに限定されるものではなく、地震などの非常時に水洗トイレに水を流すことや、ろ過装置を設けて飲料用として利用することなども可能である。
【図面の簡単な説明】
【００７１】
【図１】本発明の最良の実施の形態の雨水利用システムが備える雨水マスの構成を説明する断面図である。
【図２】本発明の最良の実施の形態の雨水利用システムの全体構成を説明する斜視図である。
【図３】雨水利用システムの位置関係を説明する断面図である。
【図４】取水マスと取水手段の構成を説明する断面図である。
【図５】取水手段としての格納型の手動ポンプの断面図である。
【図６】取水手段の断面図である。（ａ）は水中ポンプであり、（ｂ）は浅井戸ポンプである。
【符号の説明】
【００７２】
Ｓ          雨水利用システム
ＷＬ        貯留水位
Ｌ１        管頂位置
Ｌ２        管底位置
１６        雨水マス
１７        雨水マス
１７４      エルボ
１７４ａ    越流口部
１８        配管（流入管）
２３        配管（越流管）
３１        取水管
３２        取水マス
３２１      保持板
３２２      下部吸上管
３２３      上部吸上管
３２４      網目部材
３２５      泥溜部
３３        手動ポンプ（取水手段）
３３Ａ      手動ポンプ（取水手段）
３３Ｂ      水中ポンプ（取水手段）
３３Ｃ      浅井戸ポンプ（取水手段）
３４        プランタ
【図１】
2010090605.tif 000003
【図２】
2010090605.tif 000004
【図３】
2010090605.tif 000005
【図４】
2010090605.tif 000006
【図５】
2010090605.tif 000007
【図６】
2010090605.tif 000008